(57)【特許請求の範囲】
【請求項１】
電磁波をシールドするための被覆殻体を備える接続装置において、
中実状金属、メッシュ状金属、多孔状金属または電磁波シールド材料から形成され、対向する内壁を有する被覆殻体と、
前記被覆殻体の内側に収容される絶縁物と、
前記被覆殻体の内側に挿通され前記絶縁物により絶縁される被覆芯体と、
を備え、
前記被覆殻体の対向する内壁の一方および他方に交互に配置される凸部が設けられ、
前記被覆芯体は、前記凸部によって真っ直ぐ延びることが規制され、前記凸部との干渉を避けるようにつづら折り状に形成され、
前記凸部の交互配置により相互に遮蔽することにより電磁波シールドが形成されていることを特徴とする接続装置。
【請求項２】
通電または制御インタフェース用の接続装置であって、
中実状金属、メッシュ状金属、多孔状金属または電磁波シールド材料から形成され、対向する内壁を有する被覆殻体（３ａ）と、
前記被覆殻体の内側に収容される絶縁物（２ａ）と、
前記被覆殻体の内側に挿通され前記絶縁物により絶縁される被覆芯体（１ａ）と、
を備え、
前記被覆殻体の対向する内壁の一方および他方に交互に配置される凸部としての嵌合突出体（３１ａ）が一体に成形され、
前記被覆芯体は、前記嵌合突出体によって真っ直ぐ延びることが規制され、前記嵌合突出体との干渉を避けるようにつづら折り状に形成され、
前記嵌合突出体の交互配置により相互に遮蔽することにより電磁波シールドが形成されていることを特徴とする接続装置。
【請求項３】
前記被覆芯体（１ａ）はプラグ、ソケットの通電ピンまたは通電プレートであって、ワイヤなどのパーツと接続され、その外部に前記絶縁物（２ａ）、前記被覆殻体（３ａ）などの要素が被覆され、プラグまたはソケットの形態に一体的に形成されていることを特徴とする請求項１または２記載の接続装置。
【請求項４】
前記被覆殻体（３ａ）、前記被覆芯体（１ａ）および前記絶縁物（２ａ）は、上、下カバーを嵌合して締付けることにより密着して接合されていることを特徴とする請求項１または２記載の接続装置。
【請求項５】
被覆芯体（１ｃ）は台形のように折り曲げられ、金属またはほかの電磁波材料からつくった被覆殻体（３ｃ）の直径を短縮させることにより全体の体積が減少され、絶縁物（２ｃ）と前記被覆殻体（３ｃ）に合わせ、前記凸部の交互配置により電磁波シールドが形成されることを特徴とする請求項１または２記載の接続装置。
【請求項６】
被覆芯体（１ｄ）は波形、規則または規則ではない局部または全部の折り曲げ、またはジグザグなどにより形成され、平行の折り曲げまたは螺旋状３次元の折り曲げにより形成され、絶縁物（２ｄ）、金属またはほかの電磁波材料からつくった被覆殻体（３ｄ）の接合により、前記凸部の交互配置により電磁波シールドが形成されることを特徴とする請求項１または２記載の接続装置。
【請求項７】
被覆芯体はプラグに限られず、同じ構造はソケットにも適用可能であり、被覆芯体（１ａ’、１ｂ’、１ｃ’、１ｄ’、１ｅ’、１ｆ’、１ｇ’）を所定の形状に変化させることにより、ソケットに適用可能であり、前記被覆芯体は一つまたは一つ以上の同じ方向や対称配列し対向して接合され、前記凸部の交互配置により電磁波シールドが形成されることを特徴とする請求項１または２記載の接続装置。
【請求項８】
挿入方式のコネクターに適用され、雄形プラグの状態であり、絶縁体（２ａ）で雄形の被覆芯体（１ａ）をかぶせたのち、被覆殻体（３ａ）で全体が覆われていることを特徴とする請求項１または２記載の接続装置。
【請求項９】
挿入方式のコネクターに適用され、雌形ソケットの状態であり、絶縁体（２ａ）で雌形の被覆芯体（１ａ）をかぶせたのち、被覆殻体（３ａ）で全体が覆われていることを特徴とする請求項１または２記載の接続装置。
【請求項１０】
一端はプラグとして形成され、他端はソケットのアダプター用中継コネクターとして形成されていることを特徴とする請求項１または２記載の接続装置。
【請求項１１】
ナット締付方式のプラグに適用され、雄形または雌形の被覆芯体（１ａ）、絶縁体（２ａ）、被覆殻体（３ａ）など構造を含み、前記被覆芯体（１ａ）が対称に配列して配置されていることを特徴とする請求項１または２記載の接続装置。
【請求項１２】
ナット締付方式のプラグに適用され、被覆芯体（１ａ）が同一方向に配列して配置されていることを特徴とする請求項１または２記載の接続装置。
【請求項１３】
プラグ、ソケットの通電ピンまたは通電プレート、制御インタフェースのスイッチユニット、キーボタンユニット、電気のエネルギーから音のエネルギーへ転換するスピーカ、音のエネルギーから電気のエネルギーへ転換するマイクロホン、電気のエネルギーから光のエネルギーへ転換する照明器具または表示モニター、または光のエネルギーから電気のエネルギーへ転換する太陽エネルギープレートに適用されていることを特徴とする請求項１または２記載の接続装置。
【請求項１４】
スイッチ、キーボタンユニットに適用され、スイッチ、キーボタンユニット（１ｉ）、絶縁物（２ｉ）、金属またはほかの電磁波の隔離材料でつくられた被覆殻体（３ｉ）の間に、前記キーボタンユニット（１ｉ）はつづら折り状に形成され、所定の絶縁物（２ｉ）により絶縁され、前記被覆殻体（３ｉ）と密着して接合され、前記凸部の交互配置により電磁波シールドが形成されることを特徴とする請求項１または２記載の接続装置。
【請求項１５】
被覆芯体（１ｈ）は通電配線状に形成され、一本または数本の並列配置の通電配線が接続された後、金属またはほかの電磁波材料から形成された被覆殻体（３ｊ）にされ、前記被覆殻体（３ｊ）に前記凸部が形成され、前記被覆芯体（１ｈ）と前記被覆殻体（３ｊ）との間に絶縁物（２ｊ）が挿入されることにより絶縁され、前記凸部の交互配置により電磁波シールドが形成されることを特徴とする請求項１または２記載の接続装置。
【請求項１６】
印刷式ソフト配線の被覆芯体（１ｊ）に適用され、金属またはほかの電磁波材料から形成された被覆殻体（３ｋ）を前記被覆芯体（１ｊ）に被覆し、前記被覆芯体（１ｊ）の外層に絶縁のための絶縁物（２ｋ）を設けることにより、前記凸部の交互配置により電磁波シールドが形成されることを特徴とする請求項１または２記載の接続装置。
【請求項１７】
コネクターの通電単芯線または通電配線に適用され、通電単芯線（１Ｎ）または通電配線（１Ｎ’）の内部には金属の被覆芯体が設けられ、その外層には絶縁物が設けられ、前記通電単芯線（１Ｎ）または前記通電配線（１Ｎ’）の被覆芯体（１Ｍ）をＬ形に折り曲げ、金属あるいはほかの電磁波隔離材料により被覆殻体（３Ｎ、３Ｎ’）が形成され、前記被覆殻体に設けられる前記凸部の交互配置により電磁波シールドが形成されることを特徴とする請求項１または２記載の接続装置。
【請求項１８】
コネクターの通電単芯線または通電配線に適用され、通電単芯線（１Ｎ）または通電配線（１Ｎ’）の内部には金属の被覆芯体が設けられ、その外層には絶縁物が設けられ、前記通電単芯線（１Ｎ）または前記通電配線（１Ｎ’）の被覆芯体（１Ｍ）を傾斜して折り曲げ、金属あるいはほかの電磁波隔離材料により被覆殻体（３Ｎ、３Ｎ’）が形成され、前記被覆殻体に設けられる前記凸部の交互配置により電磁波シールドが形成されていることを特徴とする請求項１または２記載の接続装置。
【発明の詳細な説明】
【０００１】
【発明の属する技術分野】
本発明は、電磁波の隔離用殻体を備える接続装置に関する。
【０００２】
【従来の技術】
従来から、既存の接続装置である通電コネクターまたは制御インターフェースとして、例えばよく使われるプラグ、ソケット、または電気用品、コンピュータ用の通電コネクターなどは図１〜図４に示すように、該通電ピンまたは通電プレートの被覆芯体が柱状または薄片状の単一物体であり、それを絶縁物に設置したあとで、外部には、金属またはほかの材料でつくられた被覆殻体などパーツをかぶして、または一体化のよう接合する。それで、前述した通電ピンまたは通電プレートを位置決める。残念ながら、既存技術では、金属またはほかの材料でつくられた被覆殻体は平行の組合せ状態を採用し、または単独に、通電ピンまたは通電プレートを凹凸のように設計させ、殻体ならば、対応の設計がないので、電磁波が通過しやすいように、外部へ輻射するばかりでなく、侵入、干渉の恐れもある。同理、一般の制御インターフェースに使用された被覆芯体（例えば、スイッチユニット、キーボタンユニットや電気のエネルギーから音のエネルギーへ、音のエネルギーから電気のエネルギーへ、電気のエネルギーから光のエネルギーへ転換する装置など）も同じ欠点が生じる。
【０００３】
【発明が解決しようとする課題】
そこで、本発明の目的は、電磁波が外部へ漏れることを防止し、電磁波による干渉を防止する接続装置を提供することにある。
【０００４】
【課題を解決するための手段】
本発明の接続装置は、通電コネクターまたは制御インタフェース（例えば、プラグ、ソケットの通電ピンまたは通電プレートや制御インタフェースのスイッチユニット、キーボタンユニットや電気のエネルギーから音のエネルギーへ、音のエネルギーから電気のエネルギーへ、電気のエネルギーから光のエネルギーへ転換する装置など）に用いられる。
本発明の接続装置は、被覆芯体と、絶縁物と、クローズド（中実体）またはメッシュ状、多孔状（中空体）の金属、またはほかの電磁波シールド材料から、一体的に、または組み合わせるようにつくられた被覆殻体とから、被覆ユニットを形成する。該被覆芯体は、一段以上の部分を折り曲げてつづら折り状に形成される。言い換えれば、環状突出または凹入のようにさせたり選定することにより、迷路状になる。そして、適当な絶縁物とあわせることにより絶縁する。被覆殻体は、コネクターまたは制卸インターフェース自身の金属あるいはほかの電磁波シールド材料から形成され、被覆殻体の対向する内壁に設けられる凸部が交互に配置されて相互に遮蔽することにより、電磁波シールドが形成されることを特徴とする。
また、この凹凸係止の電磁波シールドは機械殻体のエア出入口にも適用でき、機械殻体のエア出入口から、通気放熱をさせる以外、電磁波の隔離効果にも役立つ。
【０００５】
【発明の実施の形態】
以下、本発明の実施の形態を示す実施例を図面に基づいて説明する。
まずは図５、図６を御覧なさい。本発明により、電磁波の隔離用殻体を具有する迷路状の凹凸係止のシールドを備える接続装置としての通電コネクターまたは制御インターフェースは、通電コネクターまたは制御インタフェースの被覆芯体１ａ、絶縁物２ａ、クローズド（中実体）またはメッシュ状、多孔状（中空体）の金属、またはほかの電磁波シールド材料から一体にまたは組み合わせるようにつくられた被覆殻体３ａなど要素から、被覆ユニットを形成する。該被覆芯体１ａはプラグ、ソケットの通電ピンまたは通電プレートや制御インタフェースのスイッチユニット、キーボタンユニット、や電気のエネルギーから音のエネルギーへ転換するもの（例えばスピーカ）、音のエネルギーから電気のエネルギーへ転換するもの（例えばマイクロホン）、電気のエネルギーから光のエネルギーへ転換するもの（例えば照明器具または表示モニター）、光のエネルギーから、電気のエネルギーへ転換するもの（例えば太陽エネルギープレート）などである。
【０００６】
被覆芯体１ａの一段または一段以上の部分を折り曲げたり、環状突出または凹入のようにさせたり選定することにより、迷路状の幾何形状になる。それで、適当的な絶縁物２ａとあわせて、シールドを形成し、コネクターまたは制御インターフェース自身の金属あるいはほかの電磁波材料と、被覆殻体３ａを作成する。
【０００７】
それは直接的に、該金属またはほかの電磁波隔離材料からつくった機殻と、密着のように接合されるばかりでなく、相対かつ相互遮蔽の幾何形状で、迷路状の凹凸係止の電磁シールドも形成される。なお、該金属またはほかの電磁波材料からつくった被覆殻体３ａは円形、方形、またはどんな形状にも限られない。それを一体化させ、または分離のものを組み合わせて、または金属、ほかの電磁波隔離材料からつくった機殼自身に直接的に一体化成形してある。内部には、相対かつ相互遮蔽の嵌合突出体３１ａ（クローズド（中実体）またはメッシュ状、多孔状（中空体）などに限られないもの）を設けるので、相互に係止すると位置決める。その結果、凹凸係止の電磁シールドが形成されることを特徴とする。
【０００８】
上述の実施例では、被覆芯体１ａはプラグ、ソケットの通電ピンまたは通電プレートである。さらに、図７に示すように、ワイヤなどパーツと接続され、その外部に絶縁物２ａ、金属またはほかの電磁波隔離材料からつくられた被覆殻体３ａなど要素をかぶせて、または一体化のように結ぶ。そうすると、図９のように、プラグ、ソケットの形態を形成する。
図５、図６に示すように、前述した金属または電磁波隔離材料からつくった被覆殻体３ａと被覆芯体１ａ、絶縁物２ａと、密着に接合される方式は上、下カバーの分離構造を採用して、それを嵌合、併合して締付ける。
【０００９】
図７、図８の実施例を御覧なさい。金属または電磁波隔離材料からつくった被覆殻体３ｂは一体化または分離、併合の構造を採用する。さらに、それをソケットユニット５ｂに押入、組み合わせる。その中に設けられた被覆芯体ＬＢは一つまたは一つ以上を同じ方向（図１０、図１１参照）で、または対称に対向するように（図１２、図１３、図１４参照）、植込、接合する。両者の間に、絶縁物２ｂをかぶせると、迷路状の凹凸係止の電磁波シールドを形成する。
【００１０】
前掲の実施例では、被覆芯体１ｂの植込・接合形態は図１８〜図２０に示すように、両層または多層のものを縦向または横向で、併合、配列して組み合わせてもよい。
【００１１】
図１５〜図１７に示すように、単層のものを植込・接合してもよい。そうすると、適当的な絶縁物２ｂを経由して、電磁波シールドを形成する。被覆殻体は、コネクターまたは制卸インターフェース自身の金属あるいはほかの電磁波シールド材料から形成され、被覆殻体に設けられる凸部が交互に配置されて相互に遮蔽することにより、電磁波シールドが形成されることを特徴とする。
【００１２】
図１７、図１８、図１９に示すように、被覆芯体１ｃは選択された一段または一段以上を選定された迷路状の幾何形状へ成形させて、例えば、台形のように折り曲げるので、相対かつ相互遮蔽の幾何形状を持つ、金属またはほかの電磁波材料からつくった被覆殻体３ｃの直径を短縮させ、全体の体積を減らす。絶縁物２ｃと金属またはほかの電磁波材料からつくった被覆殻体３ｃに合わせると、相対かつ相互遮蔽の幾何形状を具有する、迷路状の凹凸係止の電磁波シールドを形成する。
【００１３】
同理、図２１、図２２、図２３、図２４に示すように、被覆芯体１ｄの選択された一段または一段以上において、選定された迷路状の幾何形状は波浪形、規則または規則ではない、局部または全部の折り曲げ、ジグザグなどを採用してもよい。つまり、平行の折り曲げまたは螺旋状３ｄ空間の折り曲げ（図２４参照）でもよいと言える。その結果も、絶縁物２ｄ、金属またはほかの電磁波材料からつくった被覆殻体３ｄの接合により、相対かつ相互遮蔽の幾何形状を具有する、迷路状の凹凸係止の電磁波シールドを形成する。
【００１４】
図２５〜図２７に示すように、被覆芯体１ｆの選択された一段または一段以上において、選定された迷路状の幾何形状は一つまたは一つ以上の規則や規則ではない、局部や全部の環状突出部１１ｆを採用する。その結果も、相対かつ相互遮蔽の幾何形状を具有する絶縁物２ｆ、金属またはほかの電磁波材料からつくった被覆殻体３ｆの接合により、迷路状の凹凸係止の電磁波シールドを形成する。
【００１５】
図２８、図２９に示すように、被覆芯体１ｇの選択された一段または一段以上において、選定された迷路状の幾何形状は一つまたは一つ以上の規則や規則ではない、局部や全部の環状凹部１１ｇを採用する。その結果も、相対かつ相互遮蔽の幾何形状を具有する絶縁物２ｇ、金属またはほかの電磁波材料からつくった被覆殻体３ｇの接合により、迷路状の凹凸係止の電磁波シールドを形成する。
【００１６】
本発明の同じ精神により、被覆芯体の応用はプラグ（ＰＬＵＧ）に限られない。同じ構造はソケット（ＳＯＣＫＥＴ）にも使用できる。図３０〜図３９の実施例に示すように、被覆芯体１ａ’、１ｂ’、１ｃ’、１ｄ’、１ｅ’、１ｆ’、１ｇ’などを適当に変えると、ソケットに適用できる。図４０〜図４７の実施例に示すように、被覆芯体は一つまたは一つ以上の同じ方向や対称配列して対向するように、植込・接合してもよい。それで、迷路状の凹凸係止の電磁波シールドは形成され、異なる使用のニーズに応じて選定できる。同理、前述したクローズド（中実体）またはメッシュ状、多孔状（中空体）の金属、またはほかの電磁波シールド材料から、一体化のようにまたは組み合わせるようにつくられた被覆殻体の実施形態とも、迷路状の凹凸係止の電磁波シールドを形成することが可能であるが、ニーズに応じて選定できる。
【００１７】
例えば、図４８に示すように、本発明の構造を挿入方式のコネクターに応用でき、雄形プラグの状態になり、絶縁体２ａで雄形の被覆芯体ＬＡをかぶせたあとで、被覆殻体３ａで、全体を覆う。図４９に示すように、本発明の構造を挿入方式のコネクターに応用でき、雌形ソケットの状態になり、絶縁体２ａで雌形の被覆芯体１ａをかぶせた後、被覆殻体３ａで全体を覆う。図５０に示すように、本発明の構造応用については、一端をプラグとして、もう一端をソケットのアダプター用中継コネクターとする。そんな被覆芯体１ａ、絶縁体２ａ、被覆殻体３ａのアセンブリ構造は前述の構造と同じである。
【００１８】
図５１、図５２に示すように、本発明の構造をナット締付方式のプラグに応用でき、それも雄形または雌形の被覆芯体１ａ、絶縁体２ａ、被覆殻体３ａなど構造を含むが、被覆芯体１ａが対称状の配置になる。図５３、図５４に示すように、それは本発明の構造をナット締付方式のプラグに適用する状態であるが、被覆芯体１ａが同じ方向の配置になる。要するに、本発明の実施は広く応用でき、制限がない。
【００１９】
図５５および図５６を御覧なさい、本発明は金属、またはほかの電磁波シールド材料からつくられた被覆殻体で、迷路状の凹凸係止のシールドを持つ通電コネクターまたは制御インターフェースを形成する。実際的にいえば、プラグ、ソケットの通電ピンまたは通電プレート、や制御インタフェースのスイッチユニット、キーボタンユニット、や電気のエネルギーから音のエネルギーへ転換するスピーカ、音のエネルギーから電気のエネルギーへ転換するマイクロホン、電気のエネルギーから光のエネルギーへ転換する照明器具または表示モニター、光のエネルギーから、電気のエネルギーへ転換する太陽エネルギープレートなどに応用できる以外、挿入溝方式の回路基板にも適用できる。
【００２０】
例えば、図５７に示すように、配列状の通電金属薄片から構成された被覆芯体１ｈの一段または一段以上は迷路状の形状を採用し、回路基板６ｈに塗布する。それは金属、またはほかの電磁波シールド材料からつくられた被覆殻体３ｈと、相互に補償の幾何形状になるようにマッチ、接合してある。その中に、金属、またはほかの電磁波シールド材料からつくられた被覆殻体３ｈが一列または一列以上の交差分布の嵌合柱３１ｈあるいは嵌合穴３２ｈになり、両端には、高さ追加用の凸体３３ｈを入れると、迷路状の凹凸係止の電磁波シールドを形成する。
【００２１】
図５８に示された実施例にも、回路基板に応用される構造は前述した金属、またはほかの電磁波シールド材料からつくられた被覆殻体３ｈ’が一列または一列以上の交差分布の嵌合柱３１ｈ’あるいは嵌合穴３２ｈ’になり、迷路状の凹凸係止の電磁波シールドを形成する。
【００２２】
図５９に示すように、回路基板に応用される構造において、前述した配列状通電金属薄刃から形成された被覆芯体１ｈと金属、またはほかの電磁波シールド材料からつくられた被覆殻体３ｈとの間に、さらに、絶縁物２ｈを設置すると、迷路状の凹凸係止の電磁波シールドも形成される。
同じ創造精神に基づいて、本発明の迷路状の凹凸係止の電磁波シールドをほかの制御インターフェースのスイッチ、キーボタンユニットに応用してもよい。
【００２３】
例えば、図６０、図６１に示すように、スイッチ、キーボタンユニット１ｉ、絶縁物２ｉ、金属またはほかの電磁波の隔離材料でつくられた被覆殻体３ｉの間においては、キーボタンユニット１ｉの一段または一段以上を折り曲げたり、環状突出または凹入のようにさせたり選定することにより、迷路状の幾何形状になる。それで、適当的な絶縁物２ｉとあわせて、シールドを形成し、直接的に、該金属またはほかの電磁波材料からつくった被覆殻体３ｉと、密着のように接合されるばかりでなく、相対かつ相互遮蔽の幾何形状で、迷路状の凹凸係止の電磁シールドも形成される。
【００２４】
図６２、図６３、図６４、図６５を御覧なさい。本発明により、被覆芯体１ｈは通電配線状を採用してもよい。一本または数本の並列配置の通電配線を通電のコネクターまたは制御インターフェースに連結したあとで、コネクターまたは制御インターフェースを金属またはほかの電磁波材料からつくった被覆殻体３ｊに設置する。金属またはほかの電磁波材料からつくった被覆殻体３ｊにより、迷路状の凹凸係止幾何形状のシールドを形成し、被覆芯体１ｈと被覆殻体３ｊとの間に、絶縁物２ｊを介入させると、本発明という迷路状の凹凸係止の電磁シールドも形成される。
【００２５】
同理、図６６、図６７に示すように、本発明の構造を印刷式ソフト配線の被覆芯体１ｊに応用してもよい。その特徴は迷路状の凹凸係止幾何形状のシールドを選定して、金属またはほかの電磁波材料からつくった被覆殻体３ｋを印刷式ソフト配線の被覆芯体１ｊに覆う。さらに、絶縁のために、印刷式ソフト配線の被覆芯体１ｊの外層に絶縁物２ｋを設ける。のちに、印刷式ソフト配線を通電コネクターまたは制御インターフェースヘ接統すると、迷路状の凹凸係止幾何形状のシールドが形成される。
【００２６】
上述した実施例以外、図６８、図６９に示すように、一段または一段以上の選定された幾何形状の迷路状の被覆芯体１ＬをＬ形のように折り曲げてもよい。それで、適当的な絶縁物２Ｌとあわせて、シールドを形成し、相対かつ相互に遮蔽したコネクターまたは制卸インターフェース自身の金属あるいはほかの電磁波隔離材料と、被覆殻体３Ｌを作成する。または図７０、図７１に示すように、直接的に、該金属またはほかの電磁波材料からつくった主機殻と、密着のように接合され、迷路状の凹凸係止の電磁シールドを形成する。
【００２７】
図７２、図７３に示すように、一段または一段以上の選定された幾何形状の迷路状の被覆芯体１Ｍを傾斜のように折り曲げてもよい。それで、適当的な絶縁物２Ｍとあわせて、シールドを形成し、相対かつ相互に遮蔽したコネクターまたは制御インターフェース自身の金属あるいはほかの電磁波隔離材料と、被覆殻体３Ｍを作成する。
【００２８】
または図７０、図７１に示すように、直接的に、該金属またはほかの電磁波材料からつくった主機殻と、密着のように接合され、迷路状の凹凸係止の電磁シールドを形成する。
前述した設計精神に基づいて、本発明の構造を通電コネクターの通電単芯線に応用してもよい。
例えば、図７４、図７５に示された実施例はコネクターの通電単芯線に適用する。その中に、１Ｎは通電単芯線である。
【００２９】
図７６、図７７に示された実施例はコネクターの通電配線に適用する。その中に、１Ｎ’は通電配線である。通電単芯線１Ｎ、通電配線１Ｎ’の内部には、金属の被覆芯体がある。その外層には、絶縁物がある。それで、通電単芯線１Ｎ、通電配線１Ｎ’の一段または一段以上の選定された幾何形状の迷路状の被覆芯体１ＭをＬ形のように折り曲げて、相対かつ相互に遮蔽したコネクターまたは制御インターフェース自身の金属あるいはほかの電磁波隔離材料と、被覆殻体３Ｎ、３Ｎ’を作成する。または直接的に、該金属またはほかの電磁波材料からつくった主機殻と、密着のように接合され、迷路状の凹凸係止の電磁シールドを形成する。
同理、図７８、図７９に示された実施例はコネクターの通電単芯線に適用する。その中に、１Ｎは通電単芯線である。
【００３０】
図８０、図８１に示された実施例はコネクターの通電配線に適用する。その中に、１Ｎ’は通電配線である。通電単芯線１Ｎ、通電配線１Ｎ’の内部には、金属の被覆芯体がある。その外層には、絶縁物がある。それで、通電単芯線１Ｎ、通電配線１Ｎ’の一段または一段以上の選定された幾何形状の迷路状の被覆芯体１Ｍを傾斜のように折り曲げて、相対かつ相互に遮蔽したコネクターまたは制御インターフェース自身の金属あるいはほかの電磁波隔離材料と、被覆殻体３Ｎ、３Ｎ’を作成する。または直接的に、該金属またはほかの電磁波材料からつくった主機殻と、密着のように接合され、迷路状の凹凸係止の電磁シールドを形成する。
【００３１】
また、図８２、図８３に示すように、本発明の構造を通電コネクターまたは制御インターフェースの印刷式ソフト配線に応用してもよい。その特徴は外層に絶縁物の被覆を持つソフト配線１Ｐの一段または一段以上の選定された幾何形状の迷路状の被覆芯体をＬ形のように折り曲げて、相対かつ相互に遮蔽したコネクターまたは制御インターフェース自身の金属あるいはほかの電磁波隔離材料と、被覆殻体３Ｐを作成する。または直接的に、該金属またはほかの電磁波材料からつくった主機殻と、密着のように接合され、迷路状の凹凸係止の電磁シールドを形成する。
【００３２】
同理、図８４、図８５に示すように、本発明の構造を通電コネクターまたは制御インターフェースの印刷式ソフト配線に適用する場合に、外層に絶縁物の被覆を持つソフト配線１Ｑの一段または一段以上の選定された幾何形状の迷路状の被覆芯体を傾斜のように折り曲げて、相対かつ相互に遮蔽したコネクターまたは制御インターフェース自身の金属あるいはほかの電磁波隔離材料と、被覆殻体３Ｑを作成する。または直接的に、該金属またはほかの電磁波材料からつくった主機殻と、密着のように接合され、迷路状の凹凸係止の電磁シールドを形成する。
【００３３】
本発明の構造を通電コネクターの通電単芯線に適用するほかの実施例としては、図８６または図８７に示すように、二つの通電単芯線１Ｎは分離してまたは共通して、一つの通電コネクターに接続する。該通電単芯線１Ｎの内部には、金属の被覆芯体がある。その外層には、絶縁物がある。それで、二つの通電単芯線１Ｎの一段または一段以上の選定された幾何形状の迷路状の被覆芯体を分岐回路Ｌ形のように折り曲げて、（または図７８を参照し、傾斜のように折り曲げ）、相対かつ相互に遮蔽したコネクターまたは制御インターフェース自身の金属あるいはほかの電磁波隔離材料と、被覆殻体３Ｎ、３Ｎ’を作成する。または直接的に、該金属またはほかの電磁波材料からつくった主機殻と、密着のように接合され、迷路状の凹凸係止の電磁シールドを形成する。
【００３４】
図８８に示すように、本発明の構造を通電配線コネクターに適用する実施例において、通電配線１Ｎ’は単層または多層重畳の構造を採用する。その一段または一段以上の選定された幾何形状の迷路状の被覆芯体を分岐回路Ｌ形のように折り曲げて、（または図８０を参照し、傾斜のように折り曲げ）、相対かつ相互に遮蔽したコネクターまたは制御インターフェース自身の金属あるいはほかの電磁波隔離材料と、被覆殻体３Ｎ’を作成する。または直接的に、該金属またはほかの電磁波材料からつくった主機殻と、密着のように接合され、迷路状の凹凸係止の電磁シールドを形成する。
また、図８９に示すように、前述の多層重畳の通電配線としては、各通電配線１Ｎ’の間に、電磁波隔離材料からつくった隔離薄用状構造１１Ｎ’を設置してもよい。
【００３５】
図９０に示すように、本発明の構造を通電コネクターまたは制御インタフェースの印刷式ソフト配線に適用する実施例において、ソフト配線１Ｐは多層重畳の構造を採用してもよい。その一段または一段以上の選定された幾何形状の迷路状の被覆芯体をＬ形のように折り曲げて、（または図８４を参照し、傾斜のように折り曲げたり、重畳したりする）、しかも、多層重畳のソフト配線の間に、電磁波隔離材料からつくった隔離薄片状構造１１Ｐを設置し、相対かつ相互に遮蔽したコネクターまたは制御インターフェース自身の金属あるいはほかの電磁波隔離材料と、被覆殻体３Ｐを作成する。または直接的に、該金属またはほかの電磁波材料からつくった主機殻と、密着のように接合され、迷路状の凹凸係止の電磁シールドを形成する。
【００３６】
以上述べた代表的な実施例は本発明の実施形態を制限しない。その主な技術内容および精神は次のように分かる。つまり、本発明「電磁波の隔離用殻体を具有する、迷路状の凹凸係止のシールド」の適用範噂はプラグ、ソケットの通電ピンまたは通電プレート、や制御インタフェースのスイッチユニット、キーボタンユニット、や電気のエネルギーから音のエネルギーへ転換するもの（例えばスピーカ）、音のエネルギーから電気のエネルギーへ転換するもの（例えばマイクロホン）、電気のエネルギーから光のエネルギーへ転換するもの（例えば照明器具または表示モニター）、光のエネルギーから、電気のエネルギーへ転換するもの（例えば太陽エネルギープレート）などであるが、類似原理の応用も本発明の請求範囲に含まれる。その他、前述した金属またはほかの電磁波材料からつくった被覆殻体の外部に、さらに、非金属材料または適当的な材質をかぶせてもよい。それは異なるニーズに対応して、一般性の実施式様の変化だけだから、詳しい説明を省略する。
【００３７】
その他、本発明の迷路状の電磁波シールドを電磁波隔離材料でつくった主機殻のエア出入口に応用してもよい。つまり、該エア出入口に、適当の迷路状の電磁波隔離薄片状構造を設置し、金属またはほかの電磁波材料からつくった主機殻３Ｒとマッチして、迷路状の凹凸係止のシールドを形成する。例えば、図９１に示すように、電磁波隔離材料でつくった主機殻３Ｒのエア出入口３１Ｒに、傾斜のように折り曲げられ、間隔配列の電磁波隔離薄片状構造３２Ｒを設置するので、通気、放熱、電磁波の隔離効果に役立つ。
【００３８】
同理、図９２に示すように、電磁波隔離材料でつくった主機殻３Ｒのエア出入口３１Ｒに、ダブル方向に沿って折り曲げられ、間隔配列の電磁波隔離薄片状構造３３Ｒを設置するので、通気、放熱、電磁波の隔離効果が得られる。また、図９３に示すように、電磁波隔離材料でつくった主機殻３Ｒのエア出入口３１Ｒに、Ｌ形のように折り曲げられ、間隔配列の電磁波隔離薄片状構造３４Ｒを設置するので、通気、放熱、電磁波の隔離効果を果す。
【００３９】
以上の内容をまとめると、電磁波をシールドするための被覆殻体を備え、通電コネクターまたは制御インターフェースに用いられる本発明の接続装置では、被覆芯体は、一段以上の部分を折り曲げてつづら折り状に形成される。言い換えれば、環状突出または凹入のようにさせたり選定することにより、迷路状の幾何形状になる。そして、適当な絶縁物とあわせて、電磁波シールドを形成する。被覆殻体は、コネクターまたは制卸インターフェース自身の金属あるいはほかの電磁波シールド材料から形成され、被覆殻体に設けられる凸部が交互に配置されて相互に遮蔽することにより、電磁波シールドが形成されることを特徴とする。
また、主機殻のエア出入口にも適用できる。主機殻のエア出入口を経由して、通気放熱の作用がある以外、電磁波のシールド効果にも役立つ。
ゆえに、全体の構造は合理的、実用的だと分かる。
【００４０】
【発明の効果】
本発明の主の目的は電磁波をシールドするための被覆殻体を備える、通電コネクターまたは制御インターフェース用の接続装置の新規設計を提供することにある。
本発明の接続装置は、主に、通電コネクターまたは制御インタフェースに用いられ、被覆芯体と、絶縁物と、クローズド（中実体）またはメッシュ状、多孔状（中空体）の金属、またはほかの電磁波シールド材料から、一体的に、または組み合わせるようにつくられた被覆殻体とから、被覆ユニットを形成する。該被覆芯体は、一段以上の部分を折り曲げてつづら折り状に形成される。言い換えれば、環状突出または凹入のようにさせたり選定することにより、迷路状になる。そして、適当な絶縁物とあわせて、電磁波シールドを形成する。
【００４１】
被覆殻体は、コネクターまたは制卸インターフェース自身の金属あるいはほかの電磁波シールド材料から形成され、被覆殻体に設けられる凸部が交互に配置されて相互に遮蔽することにより、電磁波シールドが形成されることを特徴とする。
引っ張りの強度が向上されると共に、電磁波の侵入または逃げ出しも隔離される。また、凸部の交互配置によるシールドは主機殻のエア出入口にも適用できる。主機殻のエア出入口を経由して、通気放熱の作用がある以外、電磁波のシールド効果にも役立つ。
【図面の簡単な説明】
【図１】従来の接続装置を示す断面図である。
【図２】従来の接続装置を示す断面図である。
【図３】従来の接続装置であるコネクターを示す斜視図である。
【図４】従来の接続装置であるコネクターを示す斜視図である。
【図５】本発明の一実施例による接続装置を示す断面図である。
【図６】本発明の一実施例による接続装置を示す縦方向の断面図である。
【図７】本発明の一実施例による接続装置にソケットを追加して押し入れるように接合された状態を示す断面図である。
【図８】本発明の一実施例による接続装置を示す縦方向の断面図である。
【図９】本発明の一実施例による接続装置を適用した通電コネクターを示す断面図である。
【図１０】本発明の一実施例による接続装置の被覆芯体を示す断面図である。
【図１１】図１０の立体構成を示す一部拡大断面図である。
【図１２】本発明の一実施例による接続装置の被覆芯体を示す断面図である。
【図１３】本発明の一実施例による接続装置の被覆芯体を示す断面図である。
【図１４】図１３の立体構成を示す一部拡大断面図である。
【図１５】本発明の一実施例による接続装置の被覆芯体を示す断面図である。
【図１６】図１５の立体構成を示す一部拡大断面図である。
【図１７】本発明の一実施例による接続装置の被覆芯体を示す断面図である。
【図１８】本発明の一実施例による接続装置の被覆芯体を示す断面図である。
【図１９】図１８の立体構成を示す一部拡大断面図である。
【図２０】本発明の一実施例による接続装置の被覆芯体を示す断面図である。
【図２１】本発明の一実施例による接続装置の被覆芯体を示す断面図である。
【図２２】本発明の一実施例による接続装置の被覆芯体を示す断面図である。
【図２３】本発明の一実施例による接続装置の被覆芯体を示す断面図である。
【図２４】本発明の一実施例による接続装置の被覆芯体を示す断面図である。
【図２５】本発明の一実施例による接続装置の被覆芯体を示す断面図である。
【図２６】本発明の一実施例による接続装置の被覆芯体を示す断面図である。
【図２７】本発明の一実施例による接続装置の被覆芯体を示す断面図である。
【図２８】本発明の一実施例による接続装置の被覆芯体を示す断面図である。
【図２９】本発明の一実施例による接続装置の被覆芯体を示す断面図である。
【図３０】本発明の一実施例による接続装置をソケットに適用した例を示す説明図である。
【図３１】本発明の一実施例による接続装置をソケットに適用した例を示す説明図である。
【図３２】本発明の一実施例による接続装置をソケットに適用した例を示す説明図である。
【図３３】本発明の一実施例による接続装置をソケットに適用した例を示す説明図である。
【図３４】本発明の一実施例による接続装置をソケットに適用した例を示す説明図である。
【図３５】本発明の一実施例による接続装置をソケットに適用した例を示す説明図である。
【図３６】本発明の一実施例による接続装置をソケットに適用した例を示す説明図である。
【図３７】本発明の一実施例による接続装置をソケットに適用した例を示す説明図である。
【図３８】本発明の一実施例による接続装置をソケットに適用した例を示す説明図である。
【図３９】本発明の一実施例による接続装置をソケットに適用した例を示す説明図である。
【図４０】本発明の一実施例による接続装置をソケットに適用した例を示す説明図である。
【図４１】本発明の一実施例による接続装置をソケットに適用した例を示す説明図である。
【図４２】本発明の一実施例による接続装置の被覆芯体を示す説明図である。
【図４３】本発明の一実施例による接続装置の被覆芯体を示す説明図である。
【図４４】本発明の一実施例による接続装置の被覆芯体を示す説明図である。
【図４５】本発明の一実施例による接続装置の被覆芯体を示す説明図である。
【図４６】本発明の一実施例による接続装置の被覆芯体を示す説明図である。
【図４７】本発明の一実施例による接続装置の被覆芯体を示す説明図である。
【図４８】本発明の一実施例による接続装置を挿入通電タイプに適用した雄形のソケットを示す説明図である。
【図４９】本発明の一実施例による接続装置を挿入通電タイプに適用した雌形のソケットを示す説明図である。
【図５０】は本発明の一実施例による接続装置を一端をプラグ、他端をソケットとして中継アダプターに適用した状態を示す説明図である。
【図５１】本発明の一実施例による接続装置をナットでロックした状態を示す説明図である。
【図５２】本発明の一実施例による接続装置をナットでロックした状態を示す説明図である。
【図５３】本発明の一実施例による接続装置をナットでロックした状態を示す説明図である。
【図５４】本発明の一実施例による接続装置をナットでロックした状態を示す説明図である。
【図５５】本発明の一実施例による接続装置をプラグタイプのイアホンまたは類似の通電インターフェースに適用した状態を示す説明図である。
【図５６】本発明の一実施例による接続装置をソケットタイプのイアホンまたは類似の通電インターフェースに適用した状態を示す説明図である。
【図５７】本発明の一実施例による接続装置を挿入タイプの回路基板に適用した状態を示す分解立体図である。
【図５８】本発明の一実施例による接続装置を挿入タイプの回路基板に適用した状態を示す説明図である。
【図５９】本発明の一実施例による接続装置を挿入タイプの回路基板に適用した状態を示す説明図である。
【図６０】本発明の一実施例による接続装置の迷路状の電磁波シールドを制御インターフェースのキーボタンに適用した状態を示す断面説明図である。
【図６１】本発明の一実施例による接続装置の迷路状の電磁波シールドを制御インターフェースのキーボタンに適用した状態を示す断面説明図である。
【図６２】本発明の一実施例による接続装置の迷路状の電磁波シールドを単一配線の被覆に適用した状態を示す側面から見た断面図である。
【図６３】本発明の一実施例による接続装置の迷路状の電磁波シールドを単一配線の被覆に適用した状態を示す上方から見た断面図である。
【図６４】本発明の一実施例による接続装置の迷路状の電磁波シールドを並列配線の被覆に適用した状態を示す側面から見た断面図である。
【図６５】本発明の一実施例による接続装置の迷路状の電磁波シールドを並列配線の被覆に適用した状態を示す上方から見た断面図である。
【図６６】本発明の一実施例による接続装置の迷路状の電磁波シールドを印刷式ソフト配線の被覆に適用した状態を示す側面から見た断面図である。
【図６７】本発明の一実施例による接続装置の迷路状の電磁波シールドを印刷式ソフト配線の被覆に適用した状態を示す立体断面図である。
【図６８】本発明の一実施例による接続装置の被覆芯体をＬ形折り曲げた状態を示す断面図である。
【図６９】図６８の立体構成を示す一部拡大断面図である。
【図７０】本発明の一実施例による接続装置の被覆芯体をＬ形に折り曲げ、機殻に直接接合した状態を示す断面図である。
【図７１】図７０の立体構成を示す一部拡大断面図である。
【図７２】本発明の一実施例による接続装置の被覆芯体を傾斜しＬ形に折り曲げた状態を示す断面図である。
【図７３】図７２の立体構成を示す一部拡大断面図である。
【図７４】本発明の一実施例による接続装置の迷路状の電磁波シールドをＬ形に折り曲げて通電単芯線に適用した状態を示す側面から見た断面図である。
【図７５】本発明の一実施例による接続装置の迷路状の電磁波シールドをＬ形に折り曲げて通電単芯線に適用した状態を示す上方から見た断面図である。
【図７６】本発明の一実施例による接続装置の迷路状の電磁波シールドをＬ形に折り曲げて通電配線に適用した状態を示す側面から見た断面図である。
【図７７】本発明の一実施例による接続装置の迷路状の電磁波シールドをＬ形に折り曲げて通電配線に適用した状態を示す上方から見た断面図である。
【図７８】本発明の一実施例による接続装置の迷路状の電磁波シールドを傾斜し折り曲げて通電単芯線に適用した状態を示す側面から見た断面図である。
【図７９】本発明の一実施例による接続装置の迷路状の電磁波シールドを傾斜し折り曲げて通電単芯線に適用した状態を示す上方から見た断面図である。
【図８０】本発明の一実施例による接続装置の迷路状の電磁波シールドを傾斜し折り曲げて通電配線に適用した状態を示す側面から見た断面図である。
【図８１】本発明の一実施例による接続装置の迷路状の電磁波シールドを傾斜し折り曲げて通電配線に適用した状態を示す上方から見た断面図である。
【図８２】本発明の一実施例による接続装置の迷路状の電磁波シールドをＬ形に折り曲げて印刷式ソフト配線の被覆に適用した状態を示す側面から見た断面図である。
【図８３】図８２の立体断面図である。
【図８４】本発明の一実施例による接続装置の迷路状の電磁波シールドを傾斜し折り曲げて印刷式ソフト配線の被覆に適用した状態を示す側面から見た断面図である。
【図８５】図８４の立体断面図である。
【図８６】本発明の一実施例による接続装置の迷路状の電磁波シールドをダブルＬ形に折り曲げて通電単芯線と二つの通電コネクターとの接続に適用した状態を示す側面から見た断面図である。
【図８７】本発明の一実施例による接続装置の迷路状の電磁波シールドをダブルＬ形に折り曲げて通電単芯線と一つの通電コネクターとの共通接続に適用した状態を示す側面から見た断面図である。
【図８８】本発明の一実施例による接続装置の迷路状の電磁波シールドを多層重畳の通電配線に適用した状態を示す側面から見た断面図である。
【図８９】本発明の一実施例による接続装置の迷路状の電磁波シールドを多層重畳の通電配線に適用し、隔離薄片状を設置する状態を示す側面から見た断面図である。
【図９０】本発明の一実施例による接続装置の迷路状の電磁波シールドを通電コネクターまたは制御インターフェースの多層重畳印刷式ソフト配線に適用した状態を示す説明図である。
【図９１】本発明の一実施例による接続装置の迷路状の電磁波シールドを主機殻のエア出入口に適用した状態を示す断面説明図である。
【図９２】本発明の一実施例による接続装置の迷路状の電磁波シールドを主機殻のエア出入口に適用した状態を示す断面説明図である。
【図９３】本発明の一実施例による接続装置の迷路状の電磁波シールドを主機殻のエア出入口に適用した状態を示す断面説明図である。
【符号の説明】
１ａ、１ｂ、１ｃ、１ｄ、１ｅ、１ｆ、１ｇ、１ｈ、１ｉ、１ｊ、１Ｌ、１Ｍ    被覆芯体
１ｉ    キーボタンユニット
１Ｎ    通電単芯線
１Ｎ’  通電配線
１Ｐ、１Ｑ    ソフト配線
２ａ、２ｂ、２ｃ、２ｄ、２ｅ、２ｆ、２ｇ、２ｈ、２ｉ、２ｊ、２ｋ、２Ｌ、２Ｍ    絶縁物
３ａ、３ｂ、３ｃ、３ｄ、３ｅ、３ｆ、３ｇ、３ｈ、３ｉ、３ｊ、３ｋ  金属被覆殻体
３ｈ’、３Ｌ、３Ｍ、３Ｎ、３Ｎ’、３Ｐ、３Ｑ    被覆殻体
３Ｒ    主機殻
５ｂ    ソケットユニット
６ｈ    回路基板
１１ｆ    環状突出部
１１ｇ    環状凹入部
３１ａ、３１ｈ、３１ｈ    嵌合突出体
３２ｈ    嵌合穴
３３ｈ    高さ追加用凸体
１１Ｎ’、１１Ｐ    隔離薄片状構造
３１Ｒ    エアの出入口
３２Ｒ、３３Ｒ、３４Ｒ    電磁波隔離薄片状構造
【図１】
0004669596.tif 000002
【図２】
0004669596.tif 000003
【図３】
0004669596.tif 000004
【図４】
0004669596.tif 000005
【図５】
0004669596.tif 000006
【図６】
0004669596.tif 000007
【図７】
0004669596.tif 000008
【図８】
0004669596.tif 000009
【図９】
0004669596.tif 000010
【図１０】
0004669596.tif 000011
【図１１】
0004669596.tif 000012
【図１２】
0004669596.tif 000013
【図１３】
0004669596.tif 000014
【図１４】
0004669596.tif 000015
【図１５】
0004669596.tif 000016
【図１６】
0004669596.tif 000017
【図１７】
0004669596.tif 000018
【図１８】
0004669596.tif 000019
【図１９】
0004669596.tif 000020
【図２０】
0004669596.tif 000021
【図２１】
0004669596.tif 000022
【図２２】
0004669596.tif 000023
【図２３】
0004669596.tif 000024
【図２４】
0004669596.tif 000025
【図２５】
0004669596.tif 000026
【図２６】
0004669596.tif 000027
【図２７】
0004669596.tif 000028
【図２８】
0004669596.tif 000029
【図２９】
0004669596.tif 000030
【図３０】
0004669596.tif 000031
【図３１】
0004669596.tif 000032
【図３２】
0004669596.tif 000033
【図３３】
0004669596.tif 000034
【図３４】
0004669596.tif 000035
【図３５】
0004669596.tif 000036
【図３６】
0004669596.tif 000037
【図３７】
0004669596.tif 000038
【図３８】
0004669596.tif 000039
【図３９】
0004669596.tif 000040
【図４０】
0004669596.tif 000041
【図４１】
0004669596.tif 000042
【図４２】
0004669596.tif 000043
【図４３】
0004669596.tif 000044
【図４４】
0004669596.tif 000045
【図４５】
0004669596.tif 000046
【図４６】
0004669596.tif 000047
【図４７】
0004669596.tif 000048
【図４８】
0004669596.tif 000049
【図４９】
0004669596.tif 000050
【図５０】
0004669596.tif 000051
【図５１】
0004669596.tif 000052
【図５２】
0004669596.tif 000053
【図５３】
0004669596.tif 000054
【図５４】
0004669596.tif 000055
【図５５】
0004669596.tif 000056
【図５６】
0004669596.tif 000057
【図５７】
0004669596.tif 000058
【図５８】
0004669596.tif 000059
【図５９】
0004669596.tif 000060
【図６０】
0004669596.tif 000061
【図６１】
0004669596.tif 000062
【図６２】
0004669596.tif 000063
【図６３】
0004669596.tif 000064
【図６４】
0004669596.tif 000065
【図６５】
0004669596.tif 000066
【図６６】
0004669596.tif 000067
【図６７】
0004669596.tif 000068
【図６８】
0004669596.tif 000069
【図６９】
0004669596.tif 000070
【図７０】
0004669596.tif 000071
【図７１】
0004669596.tif 000072
【図７２】
0004669596.tif 000073
【図７３】
0004669596.tif 000074
【図７４】
0004669596.tif 000075
【図７５】
0004669596.tif 000076
【図７６】
0004669596.tif 000077
【図７７】
0004669596.tif 000078
【図７８】
0004669596.tif 000079
【図７９】
0004669596.tif 000080
【図８０】
0004669596.tif 000081
【図８１】
0004669596.tif 000082
【図８２】
0004669596.tif 000083
【図８３】
0004669596.tif 000084
【図８４】
0004669596.tif 000085
【図８５】
0004669596.tif 000086
【図８６】
0004669596.tif 000087
【図８７】
0004669596.tif 000088
【図８８】
0004669596.tif 000089
【図８９】
0004669596.tif 000090
【図９０】
0004669596.tif 000091
【図９１】
0004669596.tif 000092
【図９２】
0004669596.tif 000093
【図９３】
0004669596.tif 000094